(57)【要約】【課題】設定された実質的な倍率で対象ガス成分を濃縮する。【解決手段】濃縮管５０は、固定相とサンプルガス中の移動相との間で対象ガス成分について１より大きな分配比を持っている。ガス分析装置１０は、濃縮管５０に対象ガス成分を含むサンプルガスを特定のサンプリング条件で特定体積流すことにより、固定相の全体にわたって移動相と固定相の中で対象ガス成分が平衡状態になり、単位体積の移動相の中に存する対象ガス成分の質量の（特定体積／単位体積）倍の質量の対象ガス成分を固定相に保持する。ガスクロマトグラフ装置１００は、キャリアガスを濃縮管５０に流すことにより、固定相に保持されている対象ガス成分をキャリアガスとともに濃縮管５０から、対象ガス成分に係る分離カラム４０の保持時間よりも短い時間で取り出す。【選択図】図４
2019211344.tif 000002
【特許請求の範囲】
【請求項１】
固定相とサンプルガス中の移動相との間で検出対象の対象ガス成分について１より大きな分配比を持つ濃縮管に前記対象ガス成分を含む前記サンプルガスを特定のサンプリング条件で特定体積流すことによって、前記固定相の全体にわたって前記移動相と前記固定相の中で前記対象ガス成分が平衡状態になるようにして、単位体積の前記移動相の中に存する前記対象ガス成分の質量の（前記特定体積／単位体積）倍の質量の前記対象ガス成分を前記固定相に保持させ、
キャリアガスを前記濃縮管に流すことにより、前記固定相に保持されている前記対象ガス成分を前記キャリアガスとともに前記濃縮管から、前記対象ガス成分に係る分離カラムの保持時間よりも短い時間で取り出し、
前記濃縮管から取り出した前記対象ガス成分を含む前記キャリアガスを前記分離カラムに流して、前記キャリアガスで運ばれる前記対象ガス成分を含む複数の特定ガス成分について異なる保持時間を持つ前記分離カラムで前記対象ガス成分を分離する、ガスクロマトグラフィーによる分離方法。
【請求項２】
第１流路に接続され、前記第１流路を流れるキャリアガスで運ばれる複数の特定ガス成分について異なる保持時間を持ち、前記複数の特定ガス成分の中の検出対象の対象ガス成分を分離する構成を有する分離カラムと、
前記第１流路、第２流路及び第３流路に接続され、前記第２流路から前記第１流路に前記対象ガス成分を含むガスを流す濃縮経路と前記第３流路から前記第１流路に前記対象ガス成分を含まないガスを流す検出経路とを切り替えられるように構成されている流路切替装置と、
前記第２流路に挿入され、内部に固定相を有し、前記対象ガス成分を含むサンプルガスを流した場合に、前記固定相と前記サンプルガス中の移動相との間で前記対象ガス成分について１より大きな分配比を持つように構成されている濃縮管と
を備え、
前記流路切替装置によって前記濃縮経路に切り替え、前記濃縮管に前記対象ガス成分を含む前記サンプルガスを特定のサンプリング条件で特定体積流すことにより、前記固定相の全体にわたって前記移動相と前記固定相の中で前記対象ガス成分が平衡状態になり、単位体積の前記移動相の中に存する前記対象ガス成分の質量の（前記特定体積／単位体積）倍の質量の前記対象ガス成分を前記固定相に保持するように構成され、且つ
前記流路切替装置によって前記検出経路に切り替え、前記キャリアガスを前記濃縮管に流すことにより、前記固定相に保持されている前記対象ガス成分を前記キャリアガスとともに前記濃縮管から、前記対象ガス成分に係る前記分離カラムの保持時間よりも短い時間で取り出すことができるように構成されている、ガスクロマトグラフ装置。
【請求項３】
第１流路に接続され、前記第１流路を流れるキャリアガスで運ばれる複数の特定ガス成分について異なる保持時間を持ち、前記複数の特定ガス成分の中の検出対象の対象ガス成分を分離する構成を有する分離カラムと、
前記第１流路の前記分離カラムの下流に配置され、前記対象ガス成分を検出する構成を有する検出器と、
前記第１流路、第２流路及び第３流路に接続され、前記第２流路から前記第１流路に前記対象ガス成分を含むガスを流す濃縮経路と前記第３流路から前記第１流路に前記対象ガス成分を含まないガスを流す検出経路とを切り替えられるように構成されている流路切替装置と、
前記第２流路に挿入され、内部に固定相を有し、前記対象ガス成分を含むサンプルガスを流した場合に、前記固定相と前記サンプルガス中の移動相との間で前記対象ガス成分について１より大きな分配比を持つように構成されている濃縮管と
を備え、
前記流路切替装置によって前記濃縮経路に切り替え、前記濃縮管に前記対象ガス成分を含む前記サンプルガスを特定のサンプリング条件で特定体積流すことにより、前記固定相の全体にわたって前記移動相と前記固定相の中で前記対象ガス成分が平衡状態になり、単位体積の前記移動相の中に存する前記対象ガス成分の質量の（前記特定体積／単位体積）倍の質量の前記対象ガス成分を前記固定相に保持するように構成され、且つ
前記流路切替装置によって前記検出経路に切り替え、前記キャリアガスを前記濃縮管に流すことにより、前記固定相に保持されている前記対象ガス成分を前記キャリアガスとともに前記濃縮管から、前記対象ガス成分に係る前記分離カラムの保持時間よりも短い時間で取り出すことができるように構成されている、ガス分析装置。
【請求項４】
キャリアガスで運ばれる複数の特定ガス成分について異なる保持時間を持ち、前記複数の特定ガス成分の中の検出対象の対象ガス成分を分離する構成を有する分離カラムを用いるガスクロマトグラフ装置で使用される濃縮管であって、
入口と出口を持ち、前記入口から前記出口に向けてガスを流せるように構成されている中空部材と、
前記中空部材の前記入口と前記出口の間に配置されている固定相と
を備え、
前記対象ガス成分を含むサンプルガスを前記中空部材に流した場合に、前記固定相と前記サンプルガス中の移動相との間で前記対象ガス成分について１より大きな分配比を持つように構成され、
前記対象ガス成分を含む前記サンプルガスを特定のサンプリング条件で特定体積前記中空部材に流すことにより、前記固定相の全体にわたって前記移動相と前記固定相の中の前記対象ガス成分が平衡状態になり、単位体積の前記移動相の中に存する前記対象ガス成分の質量の（前記特定体積／単位体積）倍の質量の前記対象ガス成分を前記固定相に保持するように構成され、且つ
前記キャリアガスを前記中空部材に流すことにより、前記固定相に保持されている前記対象ガス成分を前記キャリアガスとともに前記中空部材から、前記対象ガス成分に係る前記分離カラムの保持時間よりも短い時間で取り出すことができるように構成されている、濃縮管。
【請求項５】
前記入口に取り付けられ、前記入口の開閉を行う第１バルブと、
前記出口に取り付けられ、前記出口の開閉を行う第２バルブと
をさらに備え、
前記第１バルブと前記第２バルブによって前記入口と前記出口を閉じることにより、前記中空部材を密閉できるように構成されている、
請求項４に記載の濃縮管。
【請求項６】
キャリアガスで運ばれる複数の特定ガス成分について異なる保持時間を持ち、前記複数の特定ガス成分の中の検出対象の対象ガス成分を分離する構成を有する分離カラムを用いるガスクロマトグラフ装置のための濃縮装置であって、
内部に固定相を有し、前記対象ガス成分を含むサンプルガスを流した場合に、前記固定相と前記サンプルガス中の移動相との間で前記対象ガス成分について１より大きな分配比を持つように構成されている濃縮管と、
前記濃縮管に接続できるように構成され、前記サンプルガスを前記濃縮管に流すことができるように構成されている濃縮用ポンプと、
前記濃縮用ポンプを停止した状態で前記濃縮管の中に前記対象ガス成分を含む前記サンプルガスを閉じ込めることができるように構成されている密閉器具と
を備え、
前記サンプルガスを特定のサンプリング条件で特定体積前記濃縮管に流すことにより、前記固定相の全体にわたって前記濃縮管内の前記移動相と前記固定相の中の前記対象ガス成分が平衡状態になり、単位体積の前記移動相の中に存する前記対象ガス成分の質量の（前記特定体積／単位体積）倍の質量の前記対象ガス成分を前記固定相に保持するように構成されている、濃縮装置。
【請求項７】
濃縮管の内部に固定相を配置し、
前記濃縮管に、濃度が調整された対象ガス成分を含む標準ガスを流し、
前記濃縮管の濃縮率を決めるために、前記濃縮管に前記標準ガスを流し始めてから、前記濃縮管から前記対象ガス成分が取り出されるまでの前記標準ガスの体積を用いる、濃縮管の製造方法。
【請求項８】
対象ガス成分を検出する構成を有する検出器と、
高分子材料からなる固定相を内部に有し、前記対象ガス成分を含むサンプルガスを流した場合に、前記固定相と前記サンプルガス中の移動相との間で前記対象ガス成分について１より大きな分配比を持つように構成されている濃縮管と、
前記検出器にはガスを流さずに前記濃縮管に前記サンプルガスを流す濃縮経路と、前記濃縮管を経由したガスを前記検出器に流す検出経路とを切り替えられるように構成されている流路切替装置と、
前記濃縮管での前記対象ガス成分の濃縮時と前記濃縮管から前記対象ガス成分を取り出す検出時とで前記濃縮管の温度を切り替えるように構成され、検出時の前記濃縮管の温度が１００℃以下になるように設定されている温度調節器と
を備える、ガス検知器。
【発明の詳細な説明】
【技術分野】
【０００１】
本開示の技術分野は、ガスクロマトグラフィーを使って検出対象の対象ガス成分を分離するガスクロマトグラフィーによる分離方法、ガスクロマトグラフ装置、ガス分析装置、濃縮管、濃縮装置、濃縮管の製造方法及びガス検知器に関する。
【背景技術】
【０００２】
ガスクロマトグラフィーは、ガスの中のガス成分の分離に用いられている周知の分析手法である。ガスクロマトグラフィーでは、分離カラムに固定されている固定相と、固定相の隙間を移動する移動相とによってガス成分の分離が行われる。ガスクロマトグラフィーでは、移動相がガスであり、移動相としてのガスがキャリアガスと呼ばれる。例えば、特許文献１（特許第４７３３３１４号公報）においては、ガスクロマトグラフィーによって呼気中のガス成分（例えばメチルメルカプタンなど）が分離されて、分離されたガス成分の検知が行われることが説明されている。特許文献１においては、キャリアガスとして空気が用いられ、固定相として例えばジーエルサイエンス社製の「β，β′−ＯＤＰＮ  ２５％Ｕｎｉｐｏｒｔ  ＨＰ」が分離カラムに充填されている。
【先行技術文献】
【特許文献】
【０００３】
【特許文献１】特許第４７３３３１４号公報
【発明の概要】
【発明が解決しようとする課題】
【０００４】
特許文献１では、検出器で検出する検出対象の対象ガス成分が分離カラムで分離される。しかし、検出器には、検出限界が存在する。採取しているサンプルガスに対象ガス成分が微量しか含まれておらず、ガスクロマトグラフィーによって分離された対象ガス成分の濃度が検出器の検出限界よりも低ければ、サンプルガス中に対象ガス成分が存在していても、その検出器によって対象ガス成分を検出することができなくなる。
このような微量の対象ガス成分を検出するには、さらに検出器の性能を上げて検出限界を対象ガス成分の濃度よりも低くすることが考えられる。しかし、検出器の性能を上げようとすると、検出器が高価なものとなる。
他の対策としては、対象ガス成分を濃縮することが考えられる。しかしながら、例えば従来の吸着剤に対象ガス成分を吸着させた後に加熱脱着する手法では濃縮された対象ガス成分及び吸着剤などの熱分解が生じ、定量的な検出に煩雑な作業が生じる場合がある。
【０００５】
本開示の課題は、微量の対象ガス成分について適切に検出限界を引き上げられるように濃縮することができる、または設定された実質的な倍率で対象ガス成分を濃縮することができるガスクロマトグラフィーによる分離方法、ガスクロマトグラフ装置及びガス分析装置を提供することであり、そのようなガスクロマトグラフィーに適した濃縮管及び濃縮装置を提供することである。
【課題を解決するための手段】
【０００６】
以下に、課題を解決するための手段として複数の態様を説明する。これら態様は、必要に応じて任意に組み合せることができる。
本開示の一見地に係るガスクロマトグラフィーによる分離方法は、固定相とサンプルガス中の移動相との間で検出対象の対象ガス成分について１より大きな分配比を持つ濃縮管に対象ガス成分を含むサンプルガスを特定のサンプリング条件で特定体積流すことによって、固定相の全体にわたって移動相と固定相の中で対象ガス成分が平衡状態になるようにして、単位体積の移動相の中に存する対象ガス成分の質量の（特定体積／単位体積）倍の質量の対象ガス成分を固定相に保持させ、キャリアガスを濃縮管に流すことにより、固定相に保持されている対象ガス成分をキャリアガスとともに濃縮管から、対象ガス成分に係る分離カラムの保持時間よりも短い時間で取り出し、濃縮管から取り出した対象ガス成分を含むキャリアガスを分離カラムに流して、キャリアガスで運ばれる対象ガス成分を含む複数の特定ガス成分について異なる保持時間を持つ分離カラムで対象ガス成分を分離する。
【０００７】
本開示の一見地に係るガスクロマトグラフ装置は、第１流路に接続され、第１流路を流れるキャリアガスで運ばれる複数の特定ガス成分について異なる保持時間を持ち、複数の特定ガス成分の中の検出対象の対象ガス成分を分離する構成を有する分離カラムと、第１流路、第２流路及び第３流路に接続され、第２流路から第１流路に対象ガス成分を含むサンプルガスを流す濃縮経路と第３流路から第１流路に対象ガス成分を含まないキャリアガスを流す検出経路とを切り替えられるように構成されている流路切替装置と、第２流路に挿入され、内部に固定相を有し、対象ガス成分を含むサンプルガスを流した場合に、固定相とサンプルガス中の移動相との間で対象ガス成分について１より大きな分配比を持つように構成されている濃縮管とを備え、流路切替装置によって濃縮経路に切り替え、濃縮管に対象ガス成分を含むサンプルガスを特定のサンプリング条件で特定体積流すことにより、固定相の全体にわたって移動相と固定相の中で対象ガス成分が平衡状態になり、単位体積の移動相の中に存する対象ガス成分の質量の（特定体積／単位体積）倍の質量の対象ガス成分を固定相に保持するように構成され、且つ流路切替装置によって検出経路に切り替え、キャリアガスを濃縮管に流すことにより、固定相に保持されている対象ガス成分をキャリアガスとともに濃縮管から、対象ガス成分に係る分離カラムの保持時間よりも短い時間で取り出すことができるように構成されている。
【０００８】
本開示の一見地に係るガス分析装置は、第１流路に接続され、第１流路を流れるキャリアガスで運ばれる複数の特定ガス成分について異なる保持時間を持ち、複数の特定ガス成分の中の検出対象の対象ガス成分を分離する構成を有する分離カラムと、第１流路の分離カラムの下流に配置され、対象ガス成分を検出する構成を有する検出器と、第１流路、第２流路及び第３流路に接続され、第２流路から第１流路に対象ガス成分を含むガスを流す濃縮経路と第３流路から第１流路に対象ガス成分を含まないガスを流す検出経路とを切り替えられるように構成されている流路切替装置と、第２流路に挿入され、内部に固定相を有し、対象ガス成分を含むサンプルガスを流した場合に、固定相とサンプルガス中の移動相との間で対象ガス成分について１より大きな分配比を持つように構成されている濃縮管とを備え、流路切替装置によって濃縮経路に切り替え、濃縮管に対象ガス成分を含むサンプリングを特定のサンプリング条件で特定体積流すことにより、固定相の全体にわたって移動相と固定相の中で対象ガス成分が平衡状態になり、単位体積の移動相の中に存する対象ガス成分の質量の（特定体積／単位体積）倍の質量の対象ガス成分を固定相に保持するように構成され、且つ流路切替装置によって検出経路に切り替え、キャリアガスを濃縮管に流すことにより、固定相に保持されている対象ガス成分をキャリアガスとともに濃縮管から、対象ガス成分に係る分離カラムの保持時間よりも短い時間で取り出すことができるように構成されている。
【０００９】
本開示の一見地に係る濃縮管は、キャリアガスで運ばれる複数の特定ガス成分について異なる保持時間を持ち、複数の特定ガス成分の中の検出対象の対象ガス成分を分離する構成を有する分離カラムを用いるガスクロマトグラフ装置で使用される濃縮管であって、入口と出口を持ち、入口から出口に向けてガスを流せるように構成されている中空部材と、中空部材の入口と出口の間に配置されている固定相とを備え、対象ガス成分を含むサンプルガスを中空部材に流した場合に、固定相とサンプルガス中の移動相との間で対象ガス成分について１より大きな分配比を持つように構成され、対象ガス成分を含むサンプルガスを特定のサンプリング条件で特定体積中空部材に流すことにより、固定相の全体にわたって移動相と固定相の中の対象ガス成分が平衡状態になり、単位体積の移動相の中に存する対象ガス成分の質量の（特定体積／単位体積）倍の質量の対象ガス成分を固定相に保持するように構成され、且つキャリアガスを中空部材に流すことにより、固定相に保持されている対象ガス成分をキャリアガスとともに中空部材から、対象ガス成分に係る分離カラムの保持時間よりも短い時間で取り出すことができるように構成されている。
上述の濃縮管は、入口に取り付けられ、入口の開閉を行う第１バルブと、出口に取り付けられ、出口の開閉を行う第２バルブとをさらに備え、第１バルブと第２バルブによって入口と出口を閉じることにより、中空部材を密閉できるように構成されていてもよい。
【００１０】
本開示の一見地に係る濃縮装置は、キャリアガスで運ばれる複数の特定ガス成分について異なる保持時間を持ち、複数の特定ガス成分の中の検出対象の対象ガス成分を分離する構成を有する分離カラムを用いるガスクロマトグラフ装置のための濃縮装置であって、内部に固定相を有し、対象ガス成分を含むサンプルガスを流した場合に、固定相とサンプルガス中の移動相との間で対象ガス成分について１より大きな分配比を持つように構成されている濃縮管と、濃縮管に接続できるように構成され、サンプルガスを濃縮管に流すことができるように構成されている濃縮用ポンプと、濃縮用ポンプを停止した状態で濃縮管の中に対象ガス成分を含むサンプルガスを閉じ込めることができるように構成されている密閉器具とを備え、サンプルガスを特定のサンプリング条件で特定体積濃縮管に流すことにより、固定相の全体にわたって濃縮管内の移動相と固定相の中の対象ガス成分が平衡状態になり、単位体積の移動相の中に存する対象ガス成分の質量の（特定体積／単位体積）倍の質量の対象ガス成分を固定相に保持するように構成されている。
【００１１】
本開示の一見地に係る濃縮管の製造方法は、濃縮管の内部に固定相を配置し、濃縮管に、所定濃度の標準ガスを流し、濃縮管の濃縮率を決めるために、濃縮管に標準ガスを流し始めてから、濃縮管から対象ガス成分が取り出されるまでの標準ガスの体積を用いる。
【００１２】
本開示の一見地に係るガス検知器は、対象ガス成分を検出する構成を有する検出器と、高分子材料からなる固定相を内部に有し、対象ガス成分を含むサンプルガスを流した場合に、固定相とサンプルガス中の移動相との間で対象ガス成分について１より大きな分配比を持つように構成されている濃縮管と、検出器にはガスを流さずに濃縮管にサンプルガスを流す濃縮経路と、濃縮管を経由したガスを検出器に流す検出経路とを切り替えられるように構成されている流路切替装置と、濃縮管での対象ガス成分の濃縮時と濃縮管から対象ガス成分を取り出す検出時とで濃縮管の温度を切り替えるように構成され、検出時の濃縮管の温度が１００℃以下（になるように設定されている温度調節器とを備える。
【発明の効果】
【００１３】
本開示に係るガスクロマトグラフィーによる分離方法、ガスクロマトグラフ装置またはガス分析装置によれば、設定された実質的な倍率で対象ガス成分を濃縮して分離することができ、例えば微量の対象ガス成分の定量的な検出が容易になる。または、本開示に係るガスクロマトグラフィーによる分離方法、ガスクロマトグラフ装置またはガス分析装置によれば、微量の対象ガス成分について適切に検出限界を引き上げられるように濃縮することができる。本開示に係る濃縮管または濃縮装置によれば、本開示に係るガスクロマトグラフィーによる分離方法、ガスクロマトグラフ装置またはガス分析装置における対象ガス成分の濃縮が容易に行える。
【図面の簡単な説明】
【００１４】
【図１】実施形態に係るガスクロマトグラフィーによる分離方法による分離作業の一例を示すフローチャート。
【図２】実施形態に係る濃縮管の製造方法における製造手順の一例を示すフローチャート。
【図３】実施形態に係る濃縮管の構造の一例を示す正面図。
【図４】実施形態に係るガス分析装置及びガスクロマトグラフ装置の構成の一例を示す概念図。
【図５】図４のガス分析装置の制御系統の一例を示すブロック図。
【図６】硫化水素の分離の一例を説明するためのグラフ。
【図７】図６に示された硫化水素の分離の状況を説明するためのグラフ。
【図８】メチルメルカプタンの分離の一例を説明するためのグラフ。
【図９】メチルメルカプタンの濃縮を説明するためのグラフ。
【図１０】硫化水素が含まれる場合のメチルメルカプタンの分離の一例を説明するためのグラフ。
【図１１】ガス分析装置及びガスクロマトグラフ装置の構成の他の例を示す概念図。
【図１２】実施形態に係る濃縮装置の構成の一例を示す概念図。
【図１３】実施形態に係る検知器の構成の一例を示す概念図。
【図１４】図１３の検知器の制御系統の一例を示すブロック図。
【発明を実施するための形態】
【００１５】
（１）ガスクロマトグラフィーによる分離方法の概要
本開示に係るガスクロマトグラフィーによる分離方法の概要について図１を用いて説明する。本開示に係るガスクロマトグラフィーで用いられる濃縮管は、内部に固定相を有している。この濃縮管に流れるキャリアガスは、固定相に接触しながら流れる。つまり、キャリアガスが移動相になる。この濃縮管は、固定相と移動相との間で検出対象の対象ガス成分について１より大きな分配比Ｄを持っている。ここで分配比とは、固定相に存在する対象ガス成分の全濃度Ｍｓと移動相に存在するガス成分の全濃度Ｍｍの比である。つまり、Ｄ＝Ｍｓ／Ｍｍの関係が成り立つ。一般に、ネルンスト（Ｎｅｒｎｓｔ）の分配の法則から、互いに混合しない固定相と移動相の間に一つのガス成分が分配されるとき、固定相と移動相におけるそのガス成分の濃度の比は、温度と圧力が定まった条件下ならば一定となる。なお、対象ガス成分が解離したり、対象ガス成分が二量体などを形成したりして、複数の化学種の状態になっておらず、単一の化学種として固定相と移動相に存在する場合には、分配係数Ｋと分配比Ｄは一致する。ここでは、複数の化学種の状態になる場合も含めるために分配比Ｄを用いて説明するが、本開示の説明については、対象ガス成分が単一の化学種として存在する場合には、分配比を分配係数と読み替えることもできる。
【００１６】
まず、特定のサンプリング条件を整える（ステップＳ１）。例えば、濃縮管の温度を特定の温度に調整する。例えば、濃縮管の温度を２０℃に調整する。ただし、濃縮の倍率の精度が低くてもよい場合には、例えば、濃縮管の温度を２０℃±５℃の間に調整するなど、サンプリング条件を所定温度範囲内で設定してもよい。
サンプリング条件が整うのを待ち（ステップＳ２のＮｏ）、サンプリング条件が整ったら（ステップＳ２のＹｅｓ）、対象ガス成分を含むと考えているサンプルガスを、濃縮管に特定体積以上流す（ステップＳ３）。ここでは、検知対象の雰囲気に対象ガス成分が含まれていない場合があるので、「対象ガス成分を含むと考えているサンプルガス」と記載したが、以下の説明では、キャリアガスの中の対象ガス成分が０または濃縮しても検知できないほど微量である場合も含めて、「対象ガス成分を含むサンプルガス」と表現する。特定体積以上流すとは、例えば、濃縮管を流れるサンプルガスの流量が一定の場合、（特定体積／単位時間当たりの流量）の時間以上濃縮管にサンプルガスを流せばよい。また、予め特定体積以上のサンプルガス（対象ガス成分を含む）を、例えば注射器タイプのガス採取容器で採取しておいて、ガス採取容器の中の特定体積以上のサンプルガスを濃縮管に注入して流せばよい。
【００１７】
サンプルガスが濃縮管に特定体積以上流れるのを待ち（ステップＳ４のＮｏ）、サンプルガスが特定体積以上流れたら（ステップＳ４のＹｅｓ）、対象ガス成分を固定相に保持させる（ステップＳ５）。対象ガス成分を固定相に保持させるには、例えば、特定のサンプリング条件でサンプリングされたサンプルガスを、濃縮管の中に封入する。この濃縮管に封入されたサンプルガスには、対象ガス成分が含まれている。対象ガス成分について、固定相とサンプルガス中の移動相との間の分配比が１よりも大きい値に設定されている。例えば、対象ガス成分が硫化水素であり、サンプルガスの移動相が空気（大気）であり、濃縮管に封入されるサンプルガスの体積及び固定相の体積が１ｍｌ（＝１ｃｃ）であるとして、固定相と空気との間の分配比Ｄ１が３９：１の場合を想定する。このような場合は、サンプルガスに含まれる硫化水素の濃度をＭｍ１とおき、固定相の中の硫化水素の濃度をＭｓ１とおくと、Ｄ１＝Ｍｓ１／Ｍｍ１＝３９／１の関係が成り立つ。このように想定した状況で、例えば、サンプルガスに０．０１ｐｐｍの濃度で硫化水素が含まれている場合に、濃縮管には、０．４０ｐｐｍ相当の硫化水素が存在する。従って、濃縮管の中には、０．４０ｐｐｍの硫化水素の濃度を持つ１ｍｌのサンプルガスと同じだけの硫化水素が存在する。言い換えると、濃縮管の中には、１ｍｌのサンプルガスの中に存在する硫化水素の４０倍の硫化水素が存在することになる。このような場合には、ステップＳ２で、固定相と移動相の全体にわたって平衡状態を実現するために、サンプルガスを４０ｍｌ以上流して濃縮管の中に１ｍｌのサンプルガスを残留させ、サンプルガス中の移動相と固定相との間で全体的に平衡状態が成立し且つサンプルガスの濃度が０．０１ｐｐｍを維持する状態を作り出す。なお、サンプルガスが空気と対象ガス成分からなる場合、固定相が固体であれば、固相と空気（気相）との間で硫化水素の濃度が平衡に達して気固平衡状態が成立する。また、固定相が液体であれば、液相と空気（気相）との間で硫化水素の濃度が平衡に達して気液平衡状態が成立する。
【００１８】
次に、対象ガス成分に係る分離カラムの保持時間よりも短い時間で、濃縮管から対象ガス成分を取り出す（ステップＳ６）。例えば、キャリアガスをサンプルガスと同じ空気（大気）とし、１０ｍｌ／秒の流量で空気を濃縮管から分離カラムに流す場合を考える。上述のように、分配比Ｄ１が３９で、濃縮管に封入されるサンプルガス（空気）の体積が１ｍｌで、且つ固定相の体積が１ｍｌの場合には、濃縮管の固定相に保持されている全ての硫化水素を取り出すためには、濃縮管に封入されたサンプルガス（硫化水素を含む空気）を取り出すことも含め、濃縮管に空気を少なくとも４秒流し続けることになる。従って、硫化水素に係る分離カラムの保持時間は、４秒よりも長くなるように設定されている。分離カラムの保持時間を、濃縮管から対象ガス成分を取り出す時間よりも長く設定するには、例えば、分離カラムの長さを濃縮管の長さよりも長くすればよい。例えば、分離カラムの長さを３０ｃｍに設定して、濃縮管の長さを１０ｃｍ以下に設定するなどである。
【００１９】
なお、キャリアガスとサンプルガスは、同じであってもよいが、異なるものであってもよい。例えば、キャリアガスとして窒素ガスまたはヘリウムガスを用いてもよい。検出器に熱伝導度検出器等を使う場合、キャリアガスに水が入らないほうが良く、乾燥窒素、乾燥ヘリウムをキャリアガスとして用いることが好ましい。
また、濃縮管から分離カラムに対象ガス成分を供給する場合に、濃縮管の温度と分離カラムの温度を異ならせてもよい。例えば、濃縮管から分離カラムに対象ガス成分を供給するとき、濃縮管の温度が８０℃に設定され、分離カラムの温度が４０℃に設定されるなどである。濃縮管の温度は、高いほど対象ガス成分の流出が早くなり、濃縮管の温度を高くすることにより、分離カラムでの対象ガス成分の分離が良くなる。なお、濃縮管の温度が分離カラムの温度よりも高い場合には、濃縮管と分離カラムの間に、冷却装置を設置して、分離カラムに送られるガスを冷やしてもよい。冷却装置としては、例えば冷却ファンがある。
固定相が高分子材料からなる場合には、検出時の濃縮管の温度は、濃縮管を繰り返し使用できるように常温以上で且つ高分子材料の熱分解温度以下、例えば１００℃以下がよく、繰り返し使用できる回数を増やすために５０℃以下が好ましい。なお、後述するガス分析装置１０、ガスクロマトグラフ装置１００、濃縮装置２００及びガス検知器３００で高分子材料を濃縮管５０の固定相として使用する場合も同様のことが言える。
次に、濃縮管から取り出した対象ガス成分を含むキャリアガスを分離カラムに流して、ガスクロマトグラフィーによって対象ガス成分を分離する（ステップＳ７）。当然、分離カラムは、キャリアガスで運ばれる複数の特定ガス成分について異なる保持時間を持っている。従って、対象ガス成分が分離カラムから出てくるタイミングと、他の特定ガス成分が分離カラムから出てくるタイミングが異なる。
【００２０】
（２）濃縮管の製造方法
次に、移動相の中の対象ガス成分と固定相の中の対象ガス成分が固定相の全体にわたって平衡状態になるように対象ガス成分を固定相に保持することのできる濃縮管の作成方法について説明する。
まず、従来からある方法により、対象ガス成分の濃度が正確に測定された標準ガスを準備する（ステップＳ１１）。例えば、硫化水素の濃度が１ｐｐｍに調製された空気を準備する。標準ガスは、濃縮管５０を使用する環境に合わせて選択する。例えば、空気中で濃縮するための濃縮管５０を製造する場合には、標準ガスのうちの対象ガス成分を除いたものが、空気になる。
次に、固定相が内部に充填されたチューブを準備する（ステップＳ１２）。例えば、図３に示されているようチューブ５１を準備する。このチューブ５１は、例えばガラスのような透明な素材で形成されていて内部が透けて見えているものである。なお、チューブ５１の材質は、ガラスに限られるものではなく、対象ガス成分の種類などによって適宜選択されるものである。チューブ５１は、入口５２と出口５３の間に固定相５６が充填されている。固定相５６が充填されている箇所は、例えば直径４ｍｍ、長さ８ｃｍの円筒形の空間である。固定相５６には、例えば、DVB - EVB - Ethyleneglycoldimethacrylate（ウォーターズ社製の「Ｐｏｒａｐａｋ（登録商標）」Ｎ）を用いることができる。なお、チューブ５１の材料は必ずしも透明である必要はなく、チューブ５１の材料には、例えば、フッ素樹脂、ステンレスまたはガラスを用いることができる。固定相５６は、例えば粒状である。このような固定相５６の両端に例えば固定部材５７を詰めて、固定相５６を固定してもよい。固定部材５７には、例えばグラスウール、石英ウールまたは金属メッシュを用いることができる。なお、チューブ５１の入口５２には入口用コック５４が配設され、出口５３には出口用コック５５が配設されている。なお、入口用コック５４及び出口用コック５５のうちの一方を省いてもよい。ここでは、手動で開閉する入口用コック５４及び出口用コック５５を設ける場合を例に挙げているが、入口５２と出口５３の開閉のために、入口用コック５４及び出口用コック５５に代えて例えば電動で開閉できる電磁弁を用いてもよい。ここに示されている入口用コック５４及び出口用コック５５並びに電磁弁は、二方弁の一種である。ここでは、二方弁を用いているが、三方弁を用いて、後述するパージを行うためのガスの入口とサンプルガスの入口を別々に設けてもよく、またパージを行うためのガスの出口とサンプルガスの出口を別々に設けてもよい。
【００２１】
なお、濃縮管５０は、固定相５６が固体からなり、固定相５６とサンプルガス中の移動相との間で気固平衡状態を生じるように構成されてもよい。また、濃縮管５０は、固定相５６が液体（例えば多数の固体粒子の表面を覆う液体）からなり、固定相５６とサンプルガス中の移動相との間で気液平衡状態を生じるように構成されてもよい。例えば微量エタノールを濃縮して分析する場合には濃縮管にβ，β′−ＯＤＰＮ ２５％Ｕｎｉｐｏｒｔ ＨＰを使用すれば数十倍の濃縮が可能である。この場合の液相成分はβ，β′−ＯＤＰＮで、担体はＵｎｉｐｏｒｔ ＨＰである。次に、標準ガスを一定の流量で送れるポンプなどの供給装置をチューブ５１の入口５２に繋ぐ。また、対象ガス成分を検出する検出器をチューブ５１の出口５３に繋ぐ。つまり、チューブ５１に、標準ガスの供給と検出を行う供給・検出システムを接続する（ステップＳ１３）。
次に、標準ガスと同じ種類で、対象ガス成分を含まないキャリアガスでパージして（ステップＳ１４）、固定相５６に固定されている対象ガス成分を全て取り除く。標準ガスが１ｐｐｍの硫化水素を含む空気である場合には、硫化水素を全く含まない空気を十分にチューブ５１に流してパージする。
次に、供給・検出システムを動作させ、特定のサンプリング条件で、標準ガスをチューブ５１に一定の流量で流し、標準ガスの流し始めから対象ガス成分がチューブ５１から取り出されるまでの時間を計測する。ここで、取り出されるまでの時間は、検出器で対象ガス成分のピークが検出されるタイミングである。ここでは、標準ガスを一定の流量で流しているため、時間を計測することは即ち標準ガスの体積を計測していることになる。例えば、対象ガス成分を４０倍に濃縮する濃縮管５０を製造する場合、特定のサンプリング条件として濃縮管５０の温度及び標準ガスの温度を２０℃に保ち、１ｐｐｍの硫化水素を含む空気を１ｍｌ／秒の流量でチューブ５１に流すことにより、空気を流し始めから硫化水素がチューブ５１から取り出されるまでの時間が４０秒（標準ガスの体積が４０ｍｌ）になるように固定相５６の充填量を増減させる。固定相５６のおよその充填量は、設計の段階で算出することができるが、実際の測定によって充填量を加減することで濃縮する倍率を精度良く設定することができる。つまり、標準ガスの濃縮管５０での保持時間を計測して、移動相（例えば、標準ガスが対象ガス成分と空気からなる場合には空気が移動相）の中の対象ガス成分と固定相の中の対象ガス成分が固定相の全体にわたって平衡状態になるように対象ガス成分を固定相に保持させることができるように、固定相５６の充填量を増減させる。
【００２２】
なお、保持時間を計測する代わりに、例えば実際に測定した対象ガス成分の濃度の積分値を用いて、移動相の中の対象ガス成分と固定相５６の中の対象ガス成分が固定相５６の全体にわたって平衡状態になるように対象ガス成分を固定相５６に保持させることができるように、固定相５６の充填量を増減させてもよい。また、検出器で対象ガス成分のピークが検出されるタイミングに代えて、他のタイミング、例えば標準ガスの流し始めから対象ガス成分がチューブ５１から取り出され始めるタイミングまでの時間を予め定めた時間に合わせるように固定相の充填量を増減させてもよい。
上述の濃縮管５０の製造方法では、倍率を調整する場合について説明したが、倍率を調整せずに、濃縮管５０ごとに異なる倍率を設定してもよい。その場合、各濃縮管５０の倍率は、標準ガスの流し始めから対象ガス成分がチューブ５１から取り出され始めるタイミングまでの時間で決定すればよい。上述のような中空管の中に固定相を充填した充填タイプ（パックドタイプ）の濃縮管５０ではなく、中空細管の内面に固定相を塗布または化学結合させたキャピラリータイプの濃縮管５０を製造する場合には、濃縮管５０ごとに異なる倍率を設定すると製造が容易になる。なお、異なる倍率を設定することに変えて倍率の検定に、標準ガスの流し始めから対象ガス成分がチューブ５１から取り出され始めるタイミングまでの時間を用いてもよい。
【００２３】
（３）ガス分析装置
（３−１）ガス分析装置の構成の概要
上述のガスクロマトグラフィーによる分離方法を使用するガス分析装置の構成の一例について、図４を用いて説明する。
ガス分析装置１０は、ガス流路２０に各種の機器が接続されて構成されている。ガス流路２０は、２つの吸気口２０ｓ１，２０ｓ２と、２つの排気口２０ｅ１，２０ｅ２との間に配置されている第１流路２０ｃ１から第９流路２０ｃ９及び７個の二方弁２１から二方弁２７が設けられている。また、ガス流路２０に接続されている機器には、濃縮用ポンプ３１、検出用ポンプ３２、フィルタ３３、ガス注入口３４、分離カラム４０、濃縮管５０及び検出器６０がある。また、ガス分析装置１０は、温度調節器７０及びコンピュータ８０をさらに備えている。
濃縮用ポンプ３１及び検出用ポンプ３２は、一定の流量でガスを送ることができるエアーポンプである。ここでは、定流量機能を持つ濃縮用ポンプ３１及び検出用ポンプ３２を使用することで、キャリアガスの流量を一定にしている。しかし、一定の流量でキャリアガスを流す供給装置は、一定の流量でガスを送ることができるエアーポンプに限られるものではなく、例えば流量調整器と定流量機能を持たないエアーポンプとを組みあせて構成してもよい。
フィルタ３３は、例えばキャリアガス中の塵埃、ミスト及び不要なガス成分を取り除く機能を有している。フィルタ３３は、例えば、塵埃を取り除く繊維状の素材とともに、ミスト及び不要なガス成分を取り除く活性炭及び／またはシリカゲルなどの吸着剤を含んで構成される。
分離カラム４０は、中空管の中に固定相を充填した充填カラム（パックドカラム）であってもよく、中空細管の内面に固定相を塗布または化学結合させたキャピラリーカラムであってもよい。分離カラム４０の固定相には、液相及び固相のいずれも使用することができる。
【００２４】
検出器６０は、例えばキャリアガスが空気の場合には半導体ガスセンサを使って構成でき、例えばキャリアガスが窒素ガスまたはヘリウムガスの場合には熱伝導度検出器（ＴＣＤ）、水素炎イオン化検出器（ＦＩＤ）、電子捕獲方検出器（ＥＣＤ）、炎光光度型検出器（ＦＰＤ）または質量分析器等を使って構成することができる。
第１流路２０ｃ１の下流端が、分離カラム４０の流入口に接続されている。第１流路２０ｃ１の上流側が２つに分岐しており、第１流路２０ｃ１の一方の上流端が二方弁２５に接続され、他方の上流端が二方弁２７に接続されている。
二方弁２５の上流には、第５流路２０ｃ５、濃縮管５０、第２流路２０ｃ２、二方弁２２、濃縮用ポンプ３１及び吸気口２０ｓ１が配置されている。第２流路２０ｃ２の上流端が吸気口２０ｓ１に接続され、下流端が二方弁２２に接続されている。第４流路２０ｃ４の上流側が２つに分岐しており、一方の上流端が二方弁２２に接続され、第４流路２０ｃ４の他方の上流端が二方弁２３に接続されている。第４流路２０ｃ４の下流端が濃縮管５０の入口５２に接続されている。吸気口２０ｓ１から吸入されたガスは、第２流路２０ｃ２の中を流れて濃縮管５０に到達するが、吸気口２０ｓ１から濃縮管５０に至るまでに濃縮用ポンプ３１と二方弁２２を順に通過する。濃縮管５０の出口５３には、第５流路２０ｃ５の上流端が接続されている。第５流路２０ｃ５の下流側が２つに分岐しており、第５流路２０ｃ５の一方の下流端が二方弁２６に接続され、他方の下流端が二方弁２５に接続されている。二方弁２６と排気口２０ｅ１との間には、第６流路２０ｃ６が接続されている。
【００２５】
二方弁２７の上流には、第７流路２０ｃ７、二方弁２４、第３流路２０ｃ３、ガス注入口３４、フィルタ３３、検出用ポンプ３２、二方弁２１及び吸気口２０ｓ２が配置されている。第３流路２０ｃ３の上流端が吸気口２０ｓ２に接続されている。第３流路２０ｃ３の下流側が２つに分岐しており、第３流路２０ｃ３の一方の下流端が二方弁２３に接続され、他方の下流端が二方弁２４に接続されている。吸気口２０ｓ２から吸入されたガスは、第３流路２０ｃ３の中を流れて二方弁２３及び二方弁２４に到達するが、吸気口２０ｓ２から二方弁２３及び二方弁２４に至るまでに二方弁２１と検出用ポンプ３２とフィルタ３３とガス注入口３４を順に通過する。二方弁２４と二方弁２７との間には、第７流路２０ｃ７が接続されている。なお、ガス注入口３４は、シリンジでガスを直接導入することができるように構成されている。ガス注入口３４から導入されたガスは、第３流路２０ｃ３を流れる。
分離カラム４０の流出口には第８流路２０ｃ８の上流端が接続され、第８流路２０ｃ８の下流端には検出器６０が接続されている。そして、検出器６０と排気口２０ｅ２の間に第９流路２０ｃ９が接続されている。検出器６０には、コンピュータ８０が接続されている。コンピュータ８０は、図５に示されているように、表示装置８４を備えており、分析結果などを表示装置８４によって出力することができる。
【００２６】
（３−２）ガス分析装置の制御系統
ガス分析装置１０の制御系統の一例が図５に示されている。ガス分析装置１０が備えるコンピュータ８０は、ＣＰＵ８１、メモリ８２、タイマ８３、表示装置８４、入力装置８５及びインタフェース８６を有している。コンピュータ８０は、インタフェース８６により、二方弁２１〜２７、濃縮用ポンプ３１、検出用ポンプ３２、検出器６０及び温度調節器７０に接続されている。
図４及び図５に示されている二方弁２１〜２７は、コンピュータ８０によって開閉を制御することができる電磁弁または電動弁である。濃縮用ポンプ３１及び検出用ポンプ３２は、それぞれに定められた一定の第１流量及び第２流量でサンプルガス及びキャリアガスをガス流路２０に流すことができるように構成されている。コンピュータ８０は、これら濃縮用ポンプ３１及び検出用ポンプ３２のオン状態とオフ状態を切り替える制御を行うことができる。また、コンピュータ８０は、検出器６０の検出結果を、検出器６０から電気信号で受信する。
温度調節器７０は、分離カラム４０と濃縮管５０の温度を調節する。温度調節器７０は、例えばヒータ７１と温度センサ７２とを含んで構成されてもよく、あるいは恒温槽であってもよい。具体的には、例えば、温度センサ７２で検知した温度が予め設定された温度になるように、コンピュータ８０がヒータ７１をオンオフ制御するように構成すればよい。ここでは、温度調節器７０が分離カラム４０と濃縮管５０を同じ温度に調節する場合について説明するが、温度調節器７０は、分離カラム４０の温度と濃縮管５０の温度を別々に異なる温度に調節するように構成されてもよい。例えば、ヒータ７１と温度センサ７２を分離カラム４０と濃縮管５０に対して２組設けて、分離カラム４０と濃縮管５０を別々に温度調節してもよい。別々に温度調節するとは、例えば、温度調節器７０により、後述する検出ステップで、分離カラム４０を４０℃に調節し、濃縮管５０を８０℃に調節するなどである。また、濃縮管５０の温度は、後述する濃縮ステップと検出ステップで温度を変更してもよい。ステップごとに温度を変更するとは、例えば、コンピュータ８０により、濃縮管５０の温度を、濃縮ステップでは４０℃に調節し、検出ステップでは８０℃に調節するなどである。
【００２７】
（３−３）ガス分析装置による分析
（３−３−１）対象ガス成分の濃縮ステップ
対象ガス成分の濃縮ステップでは、コンピュータ８０が、二方弁２２，２６を開き、二方弁２３，２５を閉じる。コンピュータ８０は、二方弁２２，２６を開くことで、第２流路２０ｃ２、第４流路２０ｃ４、第５流路２０ｃ５及び第６流路２０ｃ６をガスが流れ、吸気口２０ｓ１から吸い込まれたサンプルガスを排気口２０ｅ１から排気する構成にガス流路２０を設定する。
そして、対象ガス成分を含むサンプルガスを特定のサンプリング条件で特定体積またはそれよりも多く濃縮管５０に流すことにより、対象ガス成分がサンプルガス中の移動相と固定相の中で固定相の全体にわたって平衡状態になるようにして対象ガス成分を固定相に保持させる。
上述の（２）で説明したように製造された硫化水素用の濃縮管５０では、例えば、気相に空気（大気）を使用し、対象ガス成分が硫化水素であり、濃縮管５０の温度を４０℃にして、１ｍｌ／秒の流量でサンプルガスを４０秒流すことで、サンプルガス中の移動相と固定相の中で対象ガス成分が固定相の全体にわたって平衡状態になる。なお、以下においては、サンプルガス中の移動相と固定相の中で対象ガス成分が固定相の全体にわたって平衡状態になることを、「飽和する」と説明する場合がある。
【００２８】
濃縮ステップでは、サンプルガスを濃縮管５０に流す前に、温度調節器７０により濃縮管５０の温度を一定の温度に調節する。コンピュータ８０は、例えば濃縮管５０の温度を４０℃に調節する。このとき、第２流路２０ｃ２の一部または全部を濃縮管５０の温度と実質的に同じ温度に調節することが好ましい。
濃縮管５０の温度調節後に、濃縮用ポンプ３１により、一定の流量でサンプルガスを濃縮管５０に流す。特定のサンプリング条件で、濃縮管５０の固定相５６に保持させることができる対象ガス成分が実質的に飽和するのに必要なサンプルガスの体積以上の量のサンプルガスを濃縮管５０に流す。例えば、上述の（２）で説明した硫化水素用の濃縮管５０では、１ｍｌ／秒の流量でサンプルガスを４０秒流す。具体的には、コンピュータ８０が濃縮用ポンプ３１をオン状態にすると、濃縮用ポンプ３１が１ｍｌ／秒の流量でサンプルガスを流し始める。詳細には、吸気口２０ｓ１から濃縮管５０に到達するまでの時間ｔｄ１を差し引いて４０秒以上サンプルガスを流すため、コンピュータ８０は、濃縮用ポンプ３１をオン状態にしたタイミングでタイマ８３のカウントを開始し、タイマ８３のカウントが（４０＋ｔｄ１）秒を超えるまで濃縮用ポンプ３１を駆動させる。十分に濃縮するために、例えば２０秒余分に濃縮用ポンプ３１を駆動するように設定されていれば、コンピュータ８０は、タイマ８３のカウントが（４０＋ｔｄ１＋２０）秒に達した時点で濃縮用ポンプ３１を停止させる。濃縮用ポンプ３１を停止させるタイミングで、コンピュータ８０は、二方弁２２，２６を閉じる。コンピュータ８０のメモリ８２には、上述の濃縮ステップの操作に必要なデータ及びプログラムが記憶されている。
【００２９】
（３−３−２）対象ガス成分の検出ステップ
濃縮ステップ及びパージが終了した後、対象ガス成分の検出が行われる。なお、ガス分析装置１０の電源がオンされてから、コンピュータ８０は、検出用ポンプ３２をオン状態にし、二方弁２１，２４，２７を開いて二方弁２３，２５を閉じ、吸気口２０ｓ２から排気口２０ｅ２にキャリアガスを流して分離カラム４０及び検出器６０の安定化を図っている。対象ガス成分を検出するために、コンピュータ８０は、二方弁２２，２４，２６，２７を閉じ、二方弁２１，２３，２５を開く。コンピュータ８０は、二方弁２１，２３，２５を開くことで、第３流路２０ｃ３、第４流路２０ｃ４、第５流路２０ｃ５、第１流路２０ｃ１、第８流路２０ｃ８及び第９流路２０ｃ９をガスが流れ、吸気口２０ｓ２から吸い込まれたサンプルガスを排気口２０ｅ２から排気する構成にガス流路２０を設定する。
そして、ガス分析装置１０は、検出用ポンプ３２を使って吸気口２０ｓ２から吸入したキャリアガスを第３流路２０ｃ３から第４流路２０ｃ４を経由して濃縮管５０に流す。ガス分析装置１０は、濃縮管５０にキャリアガスを流すことにより、固定相に保持されている対象ガス成分をキャリアガスとともに濃縮管５０から、対象ガス成分に係る分離カラム４０の保持時間よりも短い時間で取り出す。なお、濃縮管５０に送られるキャリアガスは、フィルタ３３を通過して塵埃及び検出に無関係な成分が一部取り除かれた清浄な空気である。ここでは、フィルタを通過した空気を清浄空気と呼ぶ。上述の（２）で説明したが、ここでも、分離カラム４０について、例えば、分離カラム４０の固定相と移動相の中の硫化水素の分配比がＤ２であり、濃縮管５０の固定相と移動相の中の硫化水素の分配比がＤ１で、Ｄ２／Ｄ１＝５である場合を想定する。このように想定した場合に、分離カラム４０の長さを濃縮管５０の長さの１０倍にして、同じ流量で清浄空気（キャリアガス）を流すと、濃縮管５０から例えば４秒で全ての硫化水素を取り出して、分離カラム４０における硫化水素に対する保持時間を２００秒に容易に設定できる。
【００３０】
ガス分析装置１０は、濃縮管５０から取り出した対象ガス成分を含むキャリアガスを、第５流路２０ｃ５及び第１流路２０ｃ１を経由して分離カラム４０に流す。分離カラム４０は、キャリアガスで運ばれる対象ガス成分を含む複数の特定ガス成分について異なる保持時間を持っている。このような分離カラム４０で対象ガス成分が他の特定ガス成分から分離される。分離された対象ガス成分は、分離カラム４０から第８流路２０ｃ８を経由して検出器６０に送られ、検出器６０で検出される。
精度良く定量分析を行う場合には、検量線の作成が行われる。対象ガス成分の濃度（例えば、１ｐｐｍ、１０ｐｐｍ、１００ｐｐｍ）が既知であるサンプルガスを複数準備する。濃度が既知であるサンプルガスを用いて、上述の濃縮ステップ及び検出ステップを持つ測定方法によって測定を行う。そして、横軸に濃度を取り、縦軸に出力値を取って、その測定の検出結果（ピーク高さ及びピーク面積）を直線で近似して検量線を作成する。濃度を知りたいサンプルガスを同じ測定方法で測定して得られた出力値を示すラインと検量線とが交わる点の濃度がサンプルガスに含まれる対象ガス成分の濃度になる。
【００３１】
（４）対象ガス成分に対応した濃縮管５０の構成
（４−１）対象ガス成分が硫化水素の場合
分離カラム４０は、内径が４ｍｍφ、長さ３０ｃｍの円筒状のテフロン（登録商標）製のパイプの中に、ジーエルサイエンス社製の充填剤（β,β’−ＯＤＰＮ(β,β’−Oxydipropionitrile)）が長さ２７ｃｍにわたって充填されて３５℃に保たれている。この例では、キャリアガス（清浄空気）の流量が２７ｍｌ／秒に設定されている。
濃縮管５０は、内径５ｍｍφ、長さ５．５ｃｍのテフロン（登録商標）製のパイプの中に、ウォーターズ社製の充填剤（Porapak N（DVB-EVBEthyleneglycol-dimethacrylate））が長さ５ｃｍにわたって充填されて３５℃に保たれている。
このような濃縮管５０に、硫化水素（H2S）の濃度が異なるサンプルガス（空気）を５０ｍｌずつ通過させたものを５種類準備した。第１の濃縮管５０は硫化水素の濃度が０．０２ｐｐｍのサンプルガスを５０ｍｌ流したものであり、第２の濃縮管５０は硫化水素の濃度が０．０４ｐｐｍのサンプルガスを５０ｍｌ流したものであり、第３の濃縮管５０は硫化水素の濃度が０．２０ｐｐｍのサンプルガスを５０ｍｌ流したものであり、第４の濃縮管５０は硫化水素の濃度が０．４０ｐｐｍのサンプルガスを５０ｍｌ流したものであり、第５の濃縮管５０は硫化水素の濃度が１．０ｐｐｍのサンプルガスを５０ｍｌ流したものである。ここでは、濃縮管５０は、濃縮率が約４×１０倍に設定されている。そのため、５０ｍｌ流すことにより、濃縮管５０の固定相の全体にわたってサンプルガス中の移動相と固定相の中で硫化水素が平衡状態になり、その結果、濃縮管５０では、単位体積（１ｍｌ）中に存する対象ガス成分である硫化水素の質量の（約４０ｍｌ／１ｍｌ）倍の質量の硫化水素が固定相に保持されている。
【００３２】
図６には、硫化水素の濃度が１．０ｐｐｍのサンプルガスをガス注入口３４から注入し、その後順次第１の濃縮管５０から第５の濃縮管５０をセットして、分離カラム４０を通過した後に検出器６０で硫化水素を検出した場合の検出結果が示されている。図６において、グラフ形状Ｘ０が硫化水素の濃度１．０ｐｐｍのサンプルガスを１ｍｌガス注入口３４から直接注入した場合の検出結果を示しており、グラフ形状Ｘ１が第１の濃縮管５０をセットした場合の検出結果を示しており、グラフ形状Ｘ２が第２の濃縮管５０をセットした場合の検出結果を示しており、グラフ形状Ｘ３が第３の濃縮管５０をセットした場合の検出結果を示しており、グラフ形状Ｘ４が第４の濃縮管５０をセットした場合の検出結果を示しており、グラフ形状Ｘ５が第５の濃縮管５０をセットした場合の検出結果を示している。
硫化水素の濃度１．０ｐｐｍのサンプルガスを直接注入した場合の検出器６０の出力の積分値と、硫化水素の濃度が０．０２ｐｐｍのサンプルガスを５０ｍｌ流した第１の濃縮管５０をセットした場合の検出器６０の出力の積分値が近い値を示している。検出器６０の積分値は、検出器６０で検出された硫化水素の質量の総和に比例する。
【００３３】
図７には、図６に示されているグラフ形状Ｘ０〜Ｘ５から求まる積分値が点Ｐ０〜点Ｐ５としてプロットされている。図７に示されている点Ｐ１〜点Ｐ５が、多少の誤差はあるものの、約４×１０倍の直線に沿って並んでいる。この結果から、定量性が良いことが確認できる。
例えば、硫化水素についての検出下限濃度が０．０５ｐｐｍのガスクロマトグラフ装置に濃縮管５０を適用して感度を約４×１０倍に上げることで、検出下限濃度が０．０５ｐｐｍのガスクロマトグラフ装置でも０．００１ｐｐｍ以下の硫化水素の存在を検出できた。
【００３４】
（４−２）対象ガス成分がメチルメルカプタンの場合
分離カラム４０は、内径が４ｍｍφ、長さ３０ｃｍの円筒状のテフロン（登録商標）製のパイプの中に、ジーエルサイエンス社製の充填剤（β,β’−ＯＤＰＮ(β,β’−Oxydipropionitrile)）が長さ２７ｃｍにわたって充填されて３５℃に保たれている。この例では、キャリアガス（清浄空気）の流量が２７ｍｌ／秒に設定されている。
濃縮管５０は、内径５ｍｍφ、長さ５．５ｃｍのテフロン（登録商標）製のパイプの中に、ウォーターズ社製の充填剤（Porapak（登録商標） Ｓ（Vinylpyrollidone））が長さ５ｃｍにわたって充填されて３５℃に保たれている。
上記（４−１）で説明した硫化水素のための濃縮管５０の構成と、メチルメルカプタンの構成では、濃縮管５０に充填された固定相の種類が異なる。メチルメルカプタンに対してＰｏｒａｐａｋ（登録商標）  Ｎを充填剤として用いると、メチルメルカプタンに対する固定相の吸着力が強すぎて、濃縮管５０からメチルメルカプタンを取り出すまでに時間が掛かりすぎて明瞭なピークを持つグラフ形状が得られない。
【００３５】
このような濃縮管５０に、メチルメルカプタン（ＣＨ3SＨ）の濃度が１ｐｐｍのサンプルガス（空気）を１００ｍｌ通過させた。ここでは、濃縮管５０は、濃縮率が約７×１０倍に設定されている。そのため、１００ｍｌ流すことにより、濃縮管５０の固定相の全体にわたってサンプルガス中の移動相と固定相の中でメチルメルカプタンが平衡状態になり、その結果、濃縮管５０では、単位体積（１ｍｌ）のサンプルガス（空気）の中に存する対象ガス成分であるメチルメルカプタンの質量の（約７０ｍｌ／１ｍｌ）倍の質量のメチルメルカプタンが固定相に保持されている。
図８には、メチルメルカプタンの濃度が１．０ｐｐｍのサンプル用ガスキャリアをガス注入口３４から注入し、その後に濃縮管５０をセットして、分離カラム４０を通過した後に検出器６０でメチルメルカプタンを検出した場合の検出結果が示されている。図８において、グラフ形状Ｘ１０がメチルメルカプタンの濃度１．０ｐｐｍのサンプルガスを直接注入した場合の検出結果を示しており、グラフ形状Ｘ１１が濃縮管５０をセットした場合の検出結果を示している。
【００３６】
メチルメルカプタンの濃度１．０ｐｐｍのサンプルガスを直接注入した場合の検出器６０の出力の積分値と、メチルメルカプタンの濃度が１．０ｐｐｍのサンプルガスを１００ｍｌ流した濃縮管５０をセットした場合の検出器６０の出力の積分値が約７×１０倍の値を示している。つまり、濃縮管５０の濃縮率が約７×１０であったということである。
メチルメルカプタンを濃縮したのと同じ濃縮管５０（Porapak（登録商標） Ｓを充填したもの）を使って、硫化水素の濃縮を行った結果が、図８のグラフ形状Ｘ２１で示されている。図８のグラフ形状Ｘ２１が示しているのは、硫化水素の濃度が１ｐｐｍのサンプルガスを７ｍｌ以上流した濃縮管５０をセットした場合の検出器６０の出力である。なお、図８のグラフ形状Ｘ２０は、硫化水素の濃度１．０ｐｐｍのサンプルガスを直接注入した場合の検出器６０の出力を示している。グラフ形状Ｘ２１の積分値は、グラフ形状Ｘ２０の積分値の約７倍になっている。
【００３７】
（４−３）対象ガス成分がメチルメルカプタンの場合
濃縮管５０は、内径５ｍｍφ、長さ２ｃｍのテフロン（登録商標）製のパイプの中に、ウォーターズ社製の充填剤（Porapak N）が長さ１ｃｍにわたって充填されて３５℃に保たれている。
この濃縮管５０に、メチルメルカプタン（ＣＨ3SＨ）の濃度が１ｐｐｍのサンプルガスを５０ｍｌ流した。このようにしてメチルメルカプタンが濃縮された濃縮管５０を、分離カラム４０の内部に充填されていた充填剤（固定相）を全て抜き去ったガス分析装置１０にセットして、検出器６０で検出した場合の検出器６０の出力の変化が図９に示されている。分離カラム４０の内部に充填剤（固定相）がないため、グラフ形状Ｘ３０には綺麗なピークが認められないが、検出器６０が大きな出力変化を示していることが図９から分かる。このことは、ガスクロマトグラフィーを使わない場合でも、シリンジ等の簡単な器具を使って微量ガス（対象ガス成分）を含む大気（サンプルガス）を濃縮管５０に十分流通させた後に一定の流量でキャリアガスを流すことのできるエアーポンプで、濃縮管５０に保持されている対象ガス成分を取り出して、ガスセンサ（検出器）で検出することにより微量の対象ガス成分を検出できるということである。
【００３８】
（４−４）対象ガス成分以外の特定ガス成分の検出を抑制する場合
微量の対象ガス成分以外に特定ガス成分を含むサンプルガスを、濃縮管５０に流して濃縮した場合の検出方法の一例について、図１０を用いて説明する。
ここでは、２種類の微量の特定ガス成分として、硫化水素とメチルメルカプタンを用いた。ここでは、メチルメルカプタンが対象ガス成分であり、硫化水素が対象ガス成分以外の特定ガス成分とみなしている。この検出方法では、２種類の特定ガス成分を含むサンプルガスを、濃縮管５０に流した後に、少量の清浄空気を濃縮管５０に流通させて濃縮管５０の移動相と固定相との間の分配比が小さい特定ガス成分を追い出す。この検出方法では、分配比が小さい特定ガス成分を追い出した後に、移動相と固定相との間の分配比が大きな対象ガス成分を主に検出している。分配比が小さいということは充填剤（固定相）と特定ガス成分との間の相互作用が小さいことを意味し、分配比が大きいということは充填剤（固定相）と特定ガス成分との間の相互作用が大きいことを意味する。
【００３９】
濃縮管５０は、内径５ｍｍφ、長さ２ｃｍのテフロン（登録商標）製のパイプの中に、ウォーターズ社製の充填剤（Porapak N）が長さ１ｃｍにわたって充填されて３５℃に保たれている。このような濃縮管５０に、硫化水素の濃度が１ｐｐｍで且つメチルメルカプタンの濃度が１ｐｐｍのサンプルガスを５０ｍｌ流した後に、清浄空気を１０ｍｌだけ流した。つまり、清浄空気を少しだけ流したということは、固定相との相互作用が小さい硫化水素を追い出したということである。このように清浄空気を１０ｍｌだけ流した後に濃縮管５０をガス分析装置１０にセットした。その後、ガス分析装置１０で分析された結果が図１０に示されている。図１０には、硫化水素の濃度が１ｐｐｍのサンプルガスをガス注入口３４から注入したときの出力を示すグラフ形状Ｘ４０、メチルメルカプタンの濃度が１ｐｐｍのサンプルガスをガス注入口３４から注入したときの出力を示すグラフ形状Ｘ４１、硫化水素とメチルメルカプタンのそれぞれの濃度が１ｐｐｍのサンプルガスをガス注入口３４から注入したときの出力を示すグラフ形状Ｘ４２、セットする前に１０ｍｌの清浄空気を流さずに濃縮管５０から硫化水素とメチルメルカプタンをキャリアガスで取り出したときの出力を示すグラフ形状Ｘ４３、及びセットする前に１０ｍｌの清浄空気を流した後で濃縮管５０から硫化水素とメチルメルカプタンをキャリアガスで取り出したときの出力を示すグラフ形状Ｘ４４が記載されている。
グラフ形状Ｘ４３にはショルダーＳｈが見られるが、グラフ形状Ｘ４４にはショルダーが見られない。セットする前に１０ｍｌの清浄空気を流さずに濃縮管５０から硫化水素とメチルメルカプタンをキャリアガスで取り出したときには、硫化水素を検出した出力とメチルメルカプタンを検出した出力が重なっているが、セットする前に１０ｍｌの清浄空気を流した後で濃縮管５０から硫化水素とメチルメルカプタンをキャリアガスで取り出したときには、メチルメルカプタンを検出した出力のみが得られ、メチルメルカプタンを単独で分析することができる。
【００４０】
（５）変形例
（５−１）変形例１
上記実施形態では、検出器６０を備えるガス分析装置１０について説明したが、検出器６０を外してガスクロマトグラフ装置１００として使用することもできる。ガスクロマトグラフ装置１００は、ガス流路２０に各種の機器（検出器６０を除く）が接続されて構成されている。ガスクロマトグラフ装置１００のガス流路２０は、２つの吸気口２０ｓ１，２０ｓ２と、２つの排気口２０ｅ１，２０ｅ２との間に配置されている第１流路２０ｃ１から第９流路２０ｃ９及び７個の二方弁２１から二方弁２７が設けられている。また、ガスクロマトグラフ装置１００のガス流路２０に接続されている機器には、濃縮用ポンプ３１、検出用ポンプ３２、フィルタ３３、ガス注入口３４、分離カラム４０及び濃縮管５０がある。また、ガス分析装置１０は、温度調節器７０及びコンピュータ８０をさらに備えている。このガスクロマトグラフ装置１００においてコンピュータ８０は、二方弁２１〜２７、濃縮用ポンプ３１、検出用ポンプ３２及び温度調節器７０の制御装置として機能する。
【００４１】
（５−２）変形例２
上記実施形態では、二方弁２１〜２７、濃縮用ポンプ３１、検出用ポンプ３２及び温度調節器７０をコンピュータ８０で自動的に制御する場合について説明した。しかし、ガス分析装置１０またはガスクロマトグラフ装置１００の二方弁２１〜２７、濃縮用ポンプ３１、検出用ポンプ３２及び温度調節器７０には、手動で操作できるものを用いることもできる。
（５−３）変形例３
上記実施形態、変形例１及び変形例２のガス分析装置１０及びガスクロマトグラフ装置１００は、濃縮管５０が取り付けられた状態で濃縮するものであった。しかし、図１１に示されているように、濃縮管５０の両端をジョイントＪ１，Ｊ２でガス流路２０に取り付けられるようにして、ガス分析装置１０及びガスクロマトグラフ装置１００以外の場所で対象ガス成分を濃縮管５０に濃縮するように構成することもできる。
なお、このようにガス分析装置１０及びガスクロマトグラフ装置１００以外の場所で対象ガス成分を濃縮管５０に濃縮するように構成する場合には、図４に示されている濃縮用ポンプ３１及び二方弁２２を省くことができる。
【００４２】
（５−４）変形例４
変形例３で説明したように、ガス分析装置１０及びガスクロマトグラフ装置１００以外の場所で濃縮管５０に対象ガス成分を濃縮する場合には、例えば、図１２に示されている濃縮装置２００を使用してもよい。
濃縮装置２００は、吸気口２０ｓ３から排気口２０ｅ３に至る流路の中に、上流側から順に濃縮用ポンプ３１と、ジョイントＪ１と、濃縮管５０と、ジョイントＪ２が配置される。濃縮管５０は、ジョイントＪ１，Ｊ２によって着脱自在に、濃縮装置２００に取り付けられる。また、濃縮装置２００は、特定のサンプリング条件の一つである特定のサンプリング温度（例えば、３５℃）でサンプリングするための温度調節器７０が取り付けられている。サンプリング条件としては、流量を一定の所定値（例えば、１ｍｌ／秒）にすることが含まれてもよい。
濃縮後は、濃縮管５０の中の平衡状態を維持させるため、サンプルガスを閉じ込めておく。そのために、濃縮管５０には、入口用コック５４と出口用コック５５が設けられている。濃縮装置２００での濃縮が終了したら、濃縮管５０の入口用コック５４と出口用コック５５を閉じて、サンプルガスを濃縮管５０の中に閉じ込める。入口用コック５４と出口用コック５５を閉じた状態で、濃縮管５０は、濃縮装置２００からガス分析装置１０またはガスクロマトグラフ装置１００に移動される。そして、ガス分析装置１０またはガスクロマトグラフ装置１００に濃縮管５０が取り付けられた後に、濃縮管５０の入口用コック５４と出口用コック５５が開かれる。
なお、入口用コック５４と出口用コック５５は、手動で開閉できるものであってもよいが、電磁弁などの電気的に開閉できて自動で開閉を制御できるものであってもよい。
【００４３】
（５−５）変形例５
上記実施形態で説明した技術、特に（４−３）で説明した技術を用いてガス検知器を構成する場合について図１３及び図１４を用いて説明する。
（５−５−１）ガス検知器の構成の概要
ガス検知器３００は、１つの吸気口２０ｓ４と、２つの排気口２０ｅ４，２０ｅ５との間に配置されている２個の二方弁２８，２９、ポンプ３５、濃縮管５０、検出器６０、温度調節器７０及びコンピュータ８０を備えている。
ポンプ３５は、一定の流量でガスを送ることができるエアーポンプである。ここでは、定流量機能を持つポンプ３５を使用することで、キャリアガスの流量を一定にしている。しかし、一定の流量でキャリアガスを流す供給装置は、一定の流量でガスを送ることができるエアーポンプに限られるものではなく、例えば流量調整器と定流量機能を持たないエアーポンプとを組みあせて構成してもよい。検出器６０には、上記実施形態と同様の検出器を用いることができる。
濃縮管５０は、内部に高分子材料からなる固定相を有している。高分子材料からなる固定相は、例えば、Ｐｏｒａｐａｋ（登録商標）  Ｎ及びＰｏｒａｐａｋ（登録商標）  Ｓである。
【００４４】
（５−５−２）ガス検知器の制御系統
ガス検知器３００が備えるコンピュータ８０は、ＣＰＵ８１、メモリ８２、タイマ８３、表示装置８４、入力装置８５及びインタフェース８６を有している。コンピュータ８０は、インタフェース８６により、二方弁２８，２９、ポンプ３５、検出器６０及び温度調節器７０に接続されている。二方弁２８，２９は、コンピュータ８０によって開閉を制御することができる電磁弁または電動弁である。コンピュータ８０は、ポンプ３５のオン状態とオフ状態を切り替える制御を行うことができる。また、コンピュータ８０は、検出器６０の検出結果を、検出器６０から電気信号で受信する。
温度調節器７０は、濃縮管５０の温度を調節する。温度調節器７０は、例えばヒータ７１と温度センサ７２とを含んで構成されてもよく、あるいは恒温槽であってもよい。具体的には、例えば、温度センサ７２で検知した温度が予め設定された温度になるように、コンピュータ８０がヒータ７１をオンオフ制御するように構成すればよい。ここでは、温度調節器７０によって、濃縮時の濃縮管５０の温度と検出時の濃縮管５０の温度とが異なる温度になるように調節される。
【００４５】
（５−５−３）ガス検知器による検知
対象ガス成分の濃縮時には、コンピュータ８０が、二方弁２８を開き、二方弁２９を閉じる。コンピュータ８０は、二方弁２８を開くことで、検出器６０にはガスを流さずに濃縮管５０にサンプルガスを流す濃縮経路に切り替え、吸気口２０ｓ４から吸い込まれたサンプルガスを排気口２０ｅ４から排気する。この濃縮時には、コンピュータ８０は、１００℃以下で且つ検出時よりも低い温度に濃縮管５０の温度が設定されるように温度調節器７０を制御する。温度調節器７０は、例えば、濃縮時には濃縮管５０が３５℃になるように温度調節し、検出時には濃縮管５０が９０℃になるように温度調節する。
そして、対象ガス成分を含むサンプルガスを特定のサンプリング条件で特定体積またはそれよりも多く濃縮管５０に流すことにより、対象ガス成分がサンプルガス中の移動相と固定相の中で固定相の全体にわたって平衡状態になるようにして対象ガス成分を固定相に保持させる。
検出時には、対象ガス成分を検出するために、コンピュータ８０は、二方弁２８を閉じ、二方弁２９を開く。コンピュータ８０は、二方弁２９を開くことで、濃縮管５０を経由したガスを検出器６０に流す検出経路に切り替え、吸気口２０ｓ４から吸い込まれたキャリアガスを、濃縮管５０と検出器６０を経由して排気口２０ｅ５から排気する。この検出時には、コンピュータ８０は、１００℃以下で且つ濃縮時よりも高い温度に濃縮管５０の温度が設定されるように温度調節器７０を制御する。
【００４６】
そして、ガス検知器３００は、固定相に保持されている対象ガス成分を、濃縮に要した時間よりも短時間で取り出すことにより、濃縮管５０から検出器６０に流れるキャリアガスの中の対象ガス成分の濃度をサンプルガスの中の対象ガス成分の濃度よりも高めて、対象ガス成分の検知を行う。
ガス検知器３００は、繰り返しガス検知ができるように、検知後にパージを行う。そのために、対象ガス成分の検出が終了した後に、コンピュータ８０は、例えば、表示装置８４にパージを促す表示を行う。例えば、ユーザは、吸気口２０ｓ４を対象ガス成分が含まれていない雰囲気中においたら、入力装置８５を使ってパージを指示する。コンピュータ８０は、パージの指示を受けた後にポンプ３５をオン状態にして、濃縮管５０のパージを行う。
【００４７】
（５−６）変形例６
上記実施形態及び変形例では、濃縮管５０は、１本だけ接続されているが、濃縮管５０を複数本束ねて接続できるように、ガス分析装置１０またはガスクロマトグラフ装置１００を構成してもよい。
（５−７）変形例７
上記実施形態及び変形例では、濃縮時の温度が室温付近の温度である場合について説明したが、濃縮時の温度は室温付近の温度に限られるものではなく、室温よりも低い温度であってもよい。例えば、０℃以下に濃縮管５０を冷やして濃縮が行われてもよい。例えば、氷、ペルチェ素子、液体窒素などの冷却手段を用いて濃縮管５０を冷やしつつサンプルガスを濃縮してもよい。
【００４８】
（６）特徴
（６−１）
上記実施形態で説明したように、本開示のガスクロマトグラフィーによる分離方法によれば、濃縮ステップにおいて、固定相とサンプルガス中の移動相との間で対象ガス成分について１より大きな分配比を持つ濃縮管５０に対象ガス成分を含むサンプルガスを特定のサンプリング条件で特定体積流すことによって、固定相の全体にわたって移動相と固定相の中で対象ガス成分が平衡状態になるようにして、単位体積の移動相の中に存する対象ガス成分の質量の（特定体積／単位体積）倍の質量の対象ガス成分を固定相に保持させる。
検出ステップにおいて、キャリアガスを濃縮管５０に流すことにより、固定相に保持されている対象ガス成分をキャリアガスとともに濃縮管５０から、対象ガス成分に係る分離カラム４０の保持時間よりも短い時間で取り出す。
検出ステップにおいて、濃縮管５０から取り出された対象ガス成分を含むキャリアガスを分離カラム４０に流して、キャリアガスで運ばれる対象ガス成分を含む複数の特定ガス成分について異なる保持時間を持つ分離カラム４０で対象ガス成分を分離する。
このように、対象ガス成分が濃縮管５０で濃縮される倍率が（特定体積／単位体積）倍に定まっているので、分離カラム４０で分離された濃縮後の対象ガス成分を、分離カラム４０の下流側で定量的に分析することができる。あるいは、濃縮管５０で濃縮される倍率がある程度の範囲で特定されていれば、微量の対象ガス成分について適切に検出限界を引き上げられ、従来難しかった微量の対象ガス成分についてもガスクロマトグラフィーによる分離の対象とすることができるようになる。
本開示のガスクロマトグラフィーによる分離方法によれば、従来のシリカゲルなどに吸着させて加熱して脱離させる濃縮方法と比較しても、遜色のない濃縮が行える。また、本開示のガスクロマトグラフィーによる分離方法では、従来は使い捨てられることが多かった濃縮管５０の繰り返しの使用が容易になっている。また、本開示のガスクロマトグラフィーによる分離方法では、濃縮率（濃縮管５０で濃縮される倍率）の設定も自由に行える。さらに、本開示のガスクロマトグラフィーによる分離方法では、濃縮したい物質（対象ガス成分）に対して複数の充填剤を選べるという利便性を持っている。
【００４９】
（６−２）
上記実施形態で説明したように、本開示のガスクロマトグラフ装置１００は、分離カラム４０と、濃縮管５０と、二方弁２１〜２７からなる流路切替装置とを備えている。濃縮管５０は、固定相とサンプルガス中の移動相との間で対象ガス成分について１より大きな分配比を持っている。ガスクロマトグラフ装置１００は、二方弁２１〜２７からなる流路切替装置によって濃縮経路（第２流路２０ｃ２、第４流路２０ｃ４、第５流路２０ｃ５及び第６流路２０ｃ６）に切り替え、濃縮管５０に対象ガス成分を含むサンプルガスを特定のサンプリング条件で特定体積流すことにより、固定相の全体にわたって移動相と固定相の中で対象ガス成分が平衡状態になり、単位体積の移動相の中に存する対象ガス成分の質量の（特定体積／単位体積）倍の質量の対象ガス成分を固定相に保持するように構成されている。
また、ガスクロマトグラフ装置１００は、二方弁２１〜２７からなる流路切替装置によって検出経路（第３流路２０ｃ３、第４流路２０ｃ４、第５流路２０ｃ５、第１流路２０ｃ１、第８流路２０ｃ８及び第９流路２０ｃ９）に切り替え、キャリアガスを濃縮管５０に流すことにより、固定相に保持されている対象ガス成分をキャリアガスとともに濃縮管５０から、対象ガス成分に係る分離カラム４０の保持時間よりも短い時間で取り出すことができるように構成されている。
このように、対象ガス成分が濃縮管５０で濃縮される倍率が（特定体積／単位体積）倍に定まっているので、ガスクロマトグラフ装置１００を使えば、分離カラム４０で分離された濃縮後の対象ガス成分を、分離カラム４０の下流側で定量的に分析することができる。あるいは、濃縮管５０で濃縮される倍率がある程度の範囲で特定されていれば、微量の対象ガス成分について適切に検出限界を引き上げられ、従来難しかった微量の対象ガス成分についてもガスクロマトグラフ装置１００による分離の対象とすることができるようになる。
本開示のガスクロマトグラフ装置１００によれば、従来のシリカゲルなどに吸着させて加熱して脱離させる濃縮方法を用いる装置と比較しても、遜色のない濃縮が行える。また、本開示のガスクロマトグラフ装置１００では、従来は使い捨てられることが多かった濃縮管５０の繰り返しの使用が容易になっている。また、本開示のガスクロマトグラフ装置１００では、濃縮率（濃縮管５０で濃縮される倍率）の設定も自由に行える。さらに、本開示のガスクロマトグラフ装置１００では、濃縮したい物質（対象ガス成分）に対して複数の充填剤を選べるという利便性を持っている。
【００５０】
（６−３）
上記実施形態で説明したように、本開示のガス分析装置１０は、分離カラム４０と、濃縮管５０と、二方弁２１〜２７からなる流路切替装置と、検出器６０とを備えている。濃縮管５０は、固定相とサンプルガス中の移動相との間で対象ガス成分について１より大きな分配比を持っている。ガス分析装置１０は、二方弁２１〜２７からなる流路切替装置によって濃縮経路（第２流路２０ｃ２、第４流路２０ｃ４、第５流路２０ｃ５及び第６流路２０ｃ６）に切り替え、濃縮管５０に対象ガス成分を含むサンプルガスを特定のサンプリング条件で特定体積流すことにより、固定相の全体にわたって移動相と固定相の中で対象ガス成分が平衡状態になり、単位体積の移動相の中に存する対象ガス成分の質量の（特定体積／単位体積）倍の質量の対象ガス成分を固定相に保持するように構成されている。
また、ガス分析装置１０は、二方弁２１〜２７からなる流路切替装置によって検出経路（第３流路２０ｃ３、第４流路２０ｃ４、第５流路２０ｃ５、第１流路２０ｃ１、第８流路２０ｃ８及び第９流路２０ｃ９）に切り替え、キャリアガスを濃縮管５０に流すことにより、固定相に保持されている対象ガス成分をキャリアガスとともに濃縮管５０から、対象ガス成分に係る分離カラム４０の保持時間よりも短い時間で取り出すことができるように構成されている。
このように、対象ガス成分が濃縮管５０で濃縮される倍率が（特定体積／単位体積）倍に定まっているので、ガス分析装置１０の検出器６０では、分離カラム４０で分離された濃縮後の対象ガス成分を、分離カラム４０の下流側で定量的に分析することができる。あるいは、濃縮管５０で濃縮される倍率がある程度の範囲で特定されていれば、微量の対象ガス成分についてガス分析装置１０の検出限界を適切に引き上げられ、従来検出限界以下であった微量の対象ガス成分についてもガス分析装置１０の対象とすることができるようになる。
本開示のガス分析装置１０によれば、従来のシリカゲルなどに吸着させて加熱して脱離させる濃縮方法を用いる装置と比較しても、遜色のない濃縮が行える。また、本開示のガス分析装置１０では、従来は使い捨てられることが多かった濃縮管５０の繰り返しの使用が容易になっている。また、本開示のガス分析装置１０では、濃縮率（濃縮管５０で濃縮される倍率）の設定も自由に行える。さらに、本開示のガス分析装置１０では、濃縮したい物質（対象ガス成分）に対して複数の充填剤を選べるという利便性を持っている。
【００５１】
（６−４）
例えば、図３を用いて説明したように、濃縮管５０は、中空部材であるチューブ５１と、固定相５６とを備えている。中空部材であるチューブ５１は、入口５２と出口５３を持ち、入口５２から出口５３に向けてガスを流せるように構成されている。固定相５６は、チューブ５１の入口５２と出口５３の間に配置されている。濃縮管５０は、固定相５６とサンプルガス中の移動相との間で対象ガス成分について１より大きな分配比を持っている。
濃縮管５０は、対象ガス成分を含むサンプルガスを特定のサンプリング条件で特定体積またはそれよりも多くチューブ５１に流すことにより、固定相５６の全体にわたって移動相と固定相５６の中の対象ガス成分が平衡状態になり、単位体積の移動相の中に存する対象ガス成分の質量の（特定体積／単位体積）倍の質量の対象ガス成分を固定相５６に保持することができる。また、濃縮管５０は、キャリアガスをチューブ５１に流すことにより、固定相５６に保持されている対象ガス成分をキャリアガスとともにチューブ５１から、対象ガス成分に係る分離カラム４０の保持時間よりも短い時間で取り出すことができるように構成されている。
このように、対象ガス成分が濃縮管５０で濃縮される倍率が（特定体積／単位体積）倍に定まっているので、例えばガス分析装置１０またはガスクロマトグラフ装置１００に濃縮管５０を使えば、分離カラム４０で分離された濃縮後の対象ガス成分を、分離カラム４０の下流側で定量的に分析することができる。
【００５２】
（６−５）
図３を用いて説明したように、濃縮管５０は、入口５２に取り付けられ、入口５２の開閉を行う第１バルブである入口用コック５４と、出口５３に取り付けられ、出口５３の開閉を行う第２バルブである出口用コック５５とを備えている。濃縮管５０は、入口用コック５４と出口用コック５５によって入口５２と出口５３を閉じることにより、チューブ５１を密閉できるように構成されている。
濃縮管５０がこのように構成されているので、濃縮後にチューブ５１を密閉して、チューブ５１の中にサンプルガスを閉じ込めて、濃縮管５０の中でサンプリングを完了した時の平衡状態を維持させることができる。その結果、チューブ５１の中に対象ガス成分の濃度を変化させる気体が侵入するのを防止することができ、濃縮管５０を単独で移動させても、サンプリングが完了したときと実質的に同じ質量の対象ガス成分を固定相５６に保持させることができる。その結果、定量的な対象ガス成分の検出が容易になる。
【００５３】
（６−６）
図１２を用いて説明したように、濃縮装置２００は、濃縮管５０と、濃縮用ポンプ３１と、密閉器具である入口用コック５４と出口用コック５５とを備えている。濃縮管５０は、固定相とサンプルガス中の移動相との間で対象ガス成分について１より大きな分配比を持っている。
濃縮用ポンプ３１は、ジョイントＪ１，Ｊ２によって濃縮管５０を取り付けることにより、濃縮管５０に接続できるように構成されている。そして、濃縮用ポンプ３１は、対象ガス成分を含むサンプルガスを濃縮管５０に流すことができる。密閉器具である入口用コック５４と出口用コック５５は、濃縮用ポンプ３１を停止した状態で濃縮管５０の中にサンプルガスを閉じ込めることができるように構成されている。
濃縮装置２００は、対象ガス成分を含むサンプルガスを特定のサンプリング条件で特定体積またはそれよりも多く濃縮管５０に流すことにより、固定相の全体にわたって濃縮管５０内の移動相と固定相の中の対象ガス成分が平衡状態になり、単位体積の移動相の中に存する対象ガス成分の質量の（特定体積／単位体積）倍の質量の対象ガス成分を固定相に保持するように構成されている。
濃縮装置２００がこのように構成されているので、濃縮後に濃縮管５０を入口用コック５４と出口用コック５５で密閉して濃縮管５０の中にサンプルガスを閉じ込め、濃縮管５０の中でサンプリングを完了した時の平衡状態を維持させることができる。その結果、濃縮管５０の中に対象ガス成分の濃度を変化させる気体が侵入するのを防止することができ、濃縮管５０を単独で移動させても、サンプリングが完了したときと実質的に同じ質量の対象ガス成分を固定相５６に保持させることができる。その結果、定量的な対象ガス成分の検出が容易になる。
【００５４】
（６−７）
上記実施形態で説明した濃縮管５０の製造方法では、濃縮管５０の内部に固定相５６を配置し、濃縮管５０に、濃度が調整された対象ガス成分を含む標準ガスを流し、濃縮管５０の濃縮率を決めるために、濃縮管５０に標準ガスを流し始めてから、濃縮管５０から対象ガス成分が取り出されるまでの標準ガスの体積を用いている。
このような濃縮管５０の製造方法によれば、固定相５６の全体にわたって濃縮管５０内の移動相と固定相５６の中の対象ガス成分が平衡状態になり、単位体積の移動相の中に存する対象ガス成分の質量の（特定体積／単位体積）倍の質量の対象ガス成分を固定相５６に保持することのできる濃縮管５０を容易に製造することができる。
【００５５】
（６−８）
図１３及び図１４を用いて説明したガス検知器３００は、検出器６０と、濃縮管５０と、二方弁２８，２９からなる流路切替装置と、温度調節器７０とを備えている。検出器６０は、対象ガス成分を検出することができるように構成されている。濃縮管５０が内部に有する固定相は、高分子材料からなっている。濃縮管５０は、対象ガス成分を含むサンプルガスを流した場合に、固定相とサンプルガス中の移動相との間で対象ガス成分について１より大きな分配比を持つように構成されている。そして、二方弁２８，２９からなる流路切替装置は、検出器６０にはガスを流さずに濃縮管５０にサンプルガスを流す濃縮経路（吸気口２０ｓ４から濃縮管５０と二方弁２８を経由して排気口２０ｅ４に流れる経路）と、濃縮管５０を経由したガスを検出器６０に流す検出経路（吸気口２０ｓ４から濃縮管５０と二方弁２９と検出器６０を経由して排気口２０ｅ５に流れる経路）とを切り替えられるように構成されている。
そして、温度調節器７０は、濃縮管５０での対象ガス成分の濃縮時と濃縮管５０から対象ガス成分を取り出す検出時とで、濃縮管５０の温度を切り替えるように構成されている。また、温度調節器７０は、検出時の濃縮管５０の温度が１００℃以下になるように設定されている。
【００５６】
検出時の濃縮管５０の温度が１００℃以下になるように温度調節器７０が設定されているので、高分子材料からなる固定相の受けるダメージを抑制することができ、濃縮管５０に１００℃よりも高い温度を掛ける場合に比べて、ガス検知器３００の濃縮管５０の寿命を延ばすことができる。
また、温度調節器７０が、濃縮時よりも検出時の方が固定相に保持されている対象ガス成分を速く取り出すことができるように温度設定しておくことで、濃縮管５０での対象ガス成分の濃縮時と濃縮管５０から対象ガス成分を取り出す検出時とで、濃縮管５０の温度を切り替えることによって、検出時の対象ガス成分の濃度を高めることができ、対象ガス成分を検知し易くなる。
【００５７】
（６−９）
なお、分配比は、分離後の分析精度を向上させるために１０より大きいことが好ましい。また、検出器６０の検出下限濃度を引き上げるために、分配比は５０よりも大きいことが好ましい。
（６−１０）
また、キャリアガスを流して、濃縮管５０から対象ガス成分を取り出す時間は、分離カラム４０での対象ガス成分の分離の精度を上げるため、対象ガス成分に係る分離カラム４０の保持時間の１０分の１よりも短いことが好ましく、５０分の１よりも短いことが好ましい。濃縮管５０から対象ガス成分を取り出す時間を保持時間よりも短くするには、濃縮時よりも濃縮管５０から対象ガス成分を取り出すときの濃縮管５０の温度を高くすることが好ましい。濃縮管５０から対象ガス成分を取り出す時間を保持時間よりも短くするには、濃縮管５０の長さを分離カラム４０の長さよりも短くすることが好ましい。また、濃縮管５０から対象ガス成分を取り出す時間を保持時間よりも短くするには、濃縮管５０の固定相とキャリアガスの中の対象ガス成分の分配比が、分離カラム４０の固定相とキャリアガスの中の対象ガス成分の分配比よりも大きいことが好ましい。
【符号の説明】
【００５８】
１０  ガス分析装置
２１〜２９  二方弁
３１  濃縮用ポンプ
４０  分離カラム
５０  濃縮管
５１  チューブ
５２  入口
５３  出口
５４  入口用コック
５５  出口用コック
５６  固定相
６０  検出器
７０  温度調節器
１００  ガスクロマトグラフ装置
２００  濃縮装置
３００  ガス検知器
Ｊ１，Ｊ２  ジョイント
【図１】
2019211344.tif 000003
【図２】
2019211344.tif 000004
【図３】
2019211344.tif 000005
【図４】
2019211344.tif 000006
【図５】
2019211344.tif 000007
【図６】
2019211344.tif 000008
【図７】
2019211344.tif 000009
【図８】
2019211344.tif 000010
【図９】
2019211344.tif 000011
【図１０】
2019211344.tif 000012
【図１１】
2019211344.tif 000013
【図１２】
2019211344.tif 000014
【図１３】
2019211344.tif 000015
【図１４】
2019211344.tif 000016